(57)【特許請求の範囲】
【請求項１】
収納方向に押し込む操作で移動側レールを固定側レールに対して係止状態となし、係止状態からさらに移動側レールを押し込む操作で移動側レールの係止状態を解除する自動係止部材と、自動係止部材と連係して移動側レールの係止状態を維持すると共に、係止状態が解除された移動側レールを所定位置まで押し出す押しバネを有するラッチ部材を固定側レールの後端部に設け、ラッチ部材の自動係止部材と係脱自在となる係止ピンを移動側レールの後端部に設け、前記自動係止部材は、上下方向から付勢手段によって付勢力が付与されることにより、係止ピンの移動に伴って所定範囲で上下動自在としたことを特徴とするスライドレールの自動係止装置。
【請求項２】
固定側レールの後端部に取付けられたラッチ部材と、移動側レールに形成された係止ピンからなり、ラッチ部材は、移動側レールが固定側レールに収納、係止された状態で、常に移動側レールを固定側レールから押し出す方向に付勢力を付与する押しバネと、係止ピンの移動に伴って上下動する自動係止部材を有し、自動係止部材は、案内突部と、案内突部の収納側に所定間隔をもって位置するストッパー突部を有し、案内突部は、引出し側から収納側にかけて上向きに傾斜する押し下げ案内面と、押し下げ案内面の引出し側端部から押し下げ案内面より緩やかな角度で収納側にかけて上向きに傾斜する押し上げ案内面と、押し下げ案内面と押し上げ案内面の収納側端部間に形成された引出し側に窪む係止凹部より略横向きハート形に構成され、ストッパー突部は、係止凹部の収納側に所定間隔を有して引出し側方向に突出し、上面に引出し側が下方に傾斜する案内ストッパー面を有し、自動係止部材には上下方向から付勢力が付与されており、この付勢力が吊り合った状態で、押し下げ案内面の引出し側の先端が係止ピンの通過線上の下側に位置し、押上げ案内面の収納側の端部が係止ピンの通過線上の上側に位置し、係止ピンが係止凹部に係止されて、固定側レールに対し移動側レールがロックされた状態で、案内ストッパー面の引出し側の端部は係止ピンの上側に位置していることを特徴とするスライドレールの自動係止装置。
【請求項３】
固定側レールの後端部に取付けられたラッチ部材と、移動側レールに形成された係止ピンからなり、ラッチ部材は、移動側レールが固定側レールに収納、係止された状態で、常に移動側レールを固定側レールから押し出す方向に付勢力を付与する押しバネと、係止ピンの移動に伴って上下動する自動係止部材を有し、自動係止部材は、案内突部と、案内突部の収納側に所定間隔をもって位置するストッパー突部を有し、案内突部は、引出し側から収納側にかけて上向きに傾斜する押し下げ案内面と、押し下げ案内面の引出し側端部から押し下げ案内面より緩やかな角度で収納側にかけて上向きに傾斜する押し上げ案内面と、押し下げ案内面と押し上げ案内面の収納側端部間に形成された引出し側に窪む係止凹部より略横向きハート形に構成され、ストッパー突部は、係止凹部の収納側に所定間隔を有して上面に引出し側が下方に傾斜する案内ストッパー面と下面に引出し側が上方に傾斜する押し出し案内傾斜面を有して引出し側方向に突出する中央案内突部と、中央案内突部の上方と下方に連設された上部ストッパー部と下部ストッパー部より構成され、自動係止部材には上下方向から付勢力が付与されており、この付勢力が吊り合った状態で、押し下げ案内面の引出し側の先端が係止ピンの通過線上の下側に位置し、押し上げ案内面の収納側の端部が係止ピンの通過線上の上側に位置し、上部ストッパー部は押し下げ案内面の収納側端部の上方に位置し、下部ストッパー部は押し上げ案内面の収納側端部の下方に位置し、係止ピンが係止凹部に係止されて、固定側レールに対し移動側レールがロックされた状態で、案内ストッパー面と押し出し案内傾斜面の引出し側の端部は、係止ピンの上側に位置し、自動係止部材の上下方向から付勢力が吊り合った状態で、下部ストッパー部は係止ピンの通過線上に位置していることを特徴とするスライドレールの自動係止装置。
【発明の詳細な説明】
【技術分野】
【０００１】
本発明は、引出し等に使用されるスライドレールの係止装置に関するものである。
【背景技術】
【０００２】
従来、スライドレールを使用した引出しあるいは複写機等のメンテナンス部材は引出し動作が軽いので、運搬時あるいは床面の凹凸等による本体側の傾斜、あるいは振動によって、引出し等が不測に飛び出すことがあった。
これを解決する為、引出し等と本体間にラッチ装置を設けていたが、ラッチを解除するレバーなど新たな部材や加工が引出し側だけでなく本体側にも必要で、コスト高となるだけでなく、操作も面倒であった。
このため、ロック機構と解除機構と押しバネのすべてをスライドレールの内部に組み込み、引出し等の前面を軽く押すことで、ロックを解除することができて、同時に前方に自動的に開いて、その後引出しをあけて、再び一番奥まで引出しを入れるとロックが自動的にかかるものが提案されてきた。（例えば特許文献１参照。）
【０００３】
この場合、２つの可動ストッパーを外レールと内レールに対応して設け、内レールに固定ストッパーを設け、押しバネを外レールにそれぞれ個別に取付けているので、それぞれの取付け位置に微妙な取付け誤差が発生するので、品質的な安定性が確保できないばかりか、装置が大型化しコンパクトなスライドレールに採用できず、さらに、それぞれの部品（２つの可動ストッパー、固定ストッパー、押しバネ）を部材としてそれぞれ管理しなければならず、部材管理としても煩雑となり、しかも、故障が発生した時の修理も、それぞれの部材の点検、修理、交換が必要となり、スライドレール全体を取り替えることもあった。
【０００４】
【特許文献１】特開２００５−１３１３３８号公報
【発明の開示】
【発明が解決しようとする課題】
【０００５】
本発明は、部材点数を少なくすることで、部材管理を容易とし、スライドレールに対する取付けも簡単で、万一故障が発生してもひとつの部材として取り替えるだけでよく、コンパクトなスライドレールの自動係止装置を提供する事を課題とする。
【課題を解決するための手段】
【０００６】
そこで、上記課題を解決する為、本発明が第１の手段として構成したところは、収納方向に押し込む操作で移動側レールを固定側レールに対して係止状態となし、係止状態からさらに移動側レールを押し込む操作で移動側レールの係止状態を解除する自動係止部材と、自動係止部材と連係して移動側レールの係止状態を維持すると共に、係止状態が解除された移動側レールを所定位置まで押し出す押しバネを有するラッチ部材を固定側レールの後端部に設け、ラッチ部材の自動係止部材と係脱自在となる係止ピンを移動側レールの後端部に設け、前記自動係止部材は、上下方向から付勢手段によって付勢力が付与されることにより、係止ピンの移動に伴って所定範囲で上下動自在としたものである。
【０００７】
次に、本発明が第２の手段として構成したところは、固定側レールの後端部に取付けられたラッチ部材と、移動側レールに形成された係止ピンからなり、ラッチ部材は、移動側レールが固定側レールに収納、係止された状態で、常に移動側レールを固定側レールから押し出す方向に付勢力を付与する押しバネと、係止ピンの移動に伴って上下動する自動係止部材を有し、自動係止部材は、案内突部と、案内突部の収納側に所定間隔をもって位置するストッパー突部を有し、案内突部は、引出し側から収納側にかけて上向きに傾斜する押し下げ案内面と、押し下げ案内面の引出し側端部から押し下げ案内面より緩やかな角度で収納側にかけて上向きに傾斜する押し上げ案内面と、押し下げ案内面と押し上げ案内面の収納側端部間に形成された引出し側に窪む係止凹部より略横向きハート形に構成され、ストッパー突部は、係止凹部の収納側に所定間隔を有して引出し側方向に突出し、上面に引出し側が下方に傾斜する案内ストッパー面を有し、自動係止部材には上下方向から付勢力が付与されており、この付勢力が吊り合った状態で、押し下げ案内面の引出し側の先端が係止ピンの通過線上の下側に位置し、押上げ案内面の収納側の端部が係止ピンの通過線上の上側に位置し、係止ピンが係止凹部に係止されて、固定側レールに対し移動側レールがロックされた状態で、案内ストッパー面の引出し側の端部は係止ピンの上側に位置しているものである。
【０００８】
次に、本発明が第３の手段として構成したところは、固定側レールの後端部に取付けられたラッチ部材と、移動側レールに形成された係止ピンからなり、ラッチ部材は、移動側レールが固定側レールに収納、係止された状態で、常に移動側レールを固定側レールから押し出す方向に付勢力を付与する押しバネと、係止ピンの移動に伴って上下動する自動係止部材を有し、自動係止部材は、案内突部と、案内突部の収納側に所定間隔をもって位置するストッパー突部を有し、案内突部は、引出し側から収納側にかけて上向きに傾斜する押し下げ案内面と、押し下げ案内面の引出し側端部から押し下げ案内面より緩やかな角度で収納側にかけて上向きに傾斜する押し上げ案内面と、押し下げ案内面と押し上げ案内面の収納側端部間に形成された引出し側に窪む係止凹部より略横向きハート形に構成され、ストッパー突部は、係止凹部の収納側に所定間隔を有して上面に引出し側が下方に傾斜する案内ストッパー面と下面に引出し側が上方に傾斜する押し出し案内傾斜面を有して引出し側方向に突出する中央案内突部と、中央案内突部の上方と下方に連設された上部ストッパー部と下部ストッパー部より構成され、自動係止部材には上下方向から付勢力が付与されており、この付勢力が吊り合った状態で、押し下げ案内面の引出し側の先端が係止ピンの通過線上の下側に位置し、押上げ案内面の収納側の端部が係止ピンの通過線上の上側に位置し、上部ストッパー部は押し下げ案内面の収納側端部の上方に位置し、下部ストッパー部は押し上げ案内面の収納側端部の下方に位置し、係止ピンが係止凹部に係止されて、固定側レールに対し移動側レールがロックされた状態で、案内ストッパー面と押し出し案内傾斜面の引出し側の端部は、係止ピンの上側に位置し、自動係止部材の上下方向から付勢力が吊り合った状態で、下部ストッパー部は係止ピンの通過線上に位置していることを特徴とするスライドレールの自動係止装置。
【発明の効果】
【０００９】
請求項１に記載の発明によると、自動係止部材と押しバネを組み込んで一つの部材としたラッチ部材を固定側レールの後端部に設け、自動係止部材に係脱自在となる係止ピンを移動側レールに設けただけの構成であるから、部材点数が少ないので部材管理が容易で、固定側レール、移動側レールに対する部材の取付けも手間がかからず、万一故障が発生してもラッチ部材として一つの部材を点検、取り替えるだけでよいので修理が容易で、現場で簡単に行なうことが出来る。
又、自動係止部材は、上下方向から付勢手段によって付勢力が付与されることにより、係止ピンの移動に伴って所定範囲で上下動自在としたことにより、係止ピンの大きさに対応する上下動のスペースを確保するだけでよいため、全体をコンパクトに構成することができる。
さらに自動係止部材の上下動によって係止ピンの係脱を行なっているので、係脱のためのスライド方向の移動距離を小さくでき、移動側レールのスライド操作終了時（係止ピンの係止時）の違和感を感じる時間が少なくなり、使い勝手及び操作性に優れたものとなる。
【００１０】
請求項２に記載の発明によると、前記効果に加え、自動係止部材には上下方向から付勢力が付与されており、この付勢力が吊り合った状態で、押し下げ案内面の引出し側の先端が係止ピンの通過線上の下側に位置し、押上げ案内面の収納側の端部が係止ピンの通過線上の上側に位置し、係止ピンが係止凹部に係止されて、固定側レールに対し移動側レールがロックされた状態で、案内ストッパー面の引出し側の端部は係止ピンの上側に位置しているので、移動側レール（係止ピン）の移動に伴って、自動係止部材は確実に上下動し、係止ピンの係脱を確実に行なうことが出来る。
【００１１】
請求項３に記載の発明によると、前記効果に加え、上部ストッパー部は押し下げ案内面の収納側端部の上方に位置しているので、引き出し等が急激に収納されても、係止ピンは確実に上部ストッパー部に当接して停止するから、係止ピンは確実に係止凹部に係止される。
又、ストッパー突部は、下面に引出し側が上方に傾斜する押し出し案内傾斜面を有し、下部ストッパー部は、押し出し案内傾斜面の下方で、押し上げ案内面の収納側端部の下方に位置し、さらに、自動係止部材の上下方向から付勢力が吊り合った状態で、係止ピンの通過線上に位置しているので固定側レールに対し移動側レールがロックされた状態で、移動側移動側移動側レールを再度押し込んだ時、係止ピンは、下部ストッパー部の引出し側に確実に当接するので、移動側レールが必要以上後方に移動する事はない。
【発明を実施するための最良の形態】
【００１２】
固定側レールの後端部に取付けられたラッチ部材と、移動側レールに形成された係止ピンからなり、ラッチ部材は、移動側レールが固定側レールに収納、係止された状態で、常に移動側レールを固定側レールから押し出す方向に付勢力を付与する押しバネと、係止ピンの移動に伴って上下動する自動係止部材を有し、自動係止部材は、案内突部と、案内突部の収納側に所定間隔をもって位置するストッパー突部を有し、案内突部は、引出し側から収納側にかけて上向きに傾斜する押し下げ案内面と、押し下げ案内面の引出し側端部から押し下げ案内面より緩やかな角度で収納側にかけて上向きに傾斜する押し上げ案内面と、押し下げ案内面と押し上げ案内面の収納側端部間に形成された引出し側に窪む係止凹部より略横向きハート形に構成され、ストッパー突部は、係止凹部の収納側に所定間隔を有して上面に引出し側が下方に傾斜する案内ストッパー面と下面に引出し側が上方に傾斜する押し出し案内傾斜面を有して引出し側方向に突出する中央案内突部と、中央案内突部の上方と下方に連設された上部ストッパー部と下部ストッパー部より構成され、自動係止部材には上下方向から付勢力が付与されており、この付勢力が吊り合った状態で、押し下げ案内面の引出し側の先端が係止ピンの通過線上の下側に位置し、押し上げ案内面の収納側の端部が係止ピンの通過線上の上側に位置し、上部ストッパー部は押し下げ案内面の収納側端部の上方に位置し、下部ストッパー部は押し上げ案内面の収納側端部の下方に位置し、係止ピンが係止凹部に係止されて、固定側レールに対し移動側レールがロックされた状態で、案内ストッパー面と押し出し案内傾斜面の引出し側の端部は、係止ピンの上側に位置し、自動係止部材の上下方向から付勢力が吊り合った状態で、下部ストッパー部は係止ピンの通過線上に位置しているものである。
【実施例１】
【００１３】
以下、第１実施例を図面に基づいて説明する。
図１、図２において、符号１００はスライドレールを示し、スライドレール１００は、固定側レール１と、固定側レール１にボールリテーナー４に回転自在に保持されたボール４４・・・を介して摺動自在に中間レール２と、中間レール２にボールリテーナー５に回転自在に保持されたボール５４・・・を介して摺動自在に保持された移動側レール３より構成され、固定側レール１の後端部内面にはラッチ部材６０が取付けられ、移動側レールの後端部にはラッチ部材６０に対応して係止ピン９が取付けられている。
以後、図１で左下方向を引出し側、右上方向を収納側として説明する。
【００１４】
すなわち、固定側レール１は、基板１０と、上下折曲縁１１、１１よりチャンネル型に形成され、上下折曲縁１１、１１内面と中間レール２の外面間に位置する複数個のボール４４・・・を介して、中間レール２を摺動自在に保持している。複数個のボール４４・・・は、固定側レール１のほぼ半分程度の長さとなした略Ｃ字形のボールリテーナー４・・・に回転自在に保持されている。
そして、固定側レール１の基板１０の後端部には、中間レール２の収納時ストッパー（図示せず。）が形成され、基板１０の前端部には前記ボールリテーナー４の引出し方向への移動範囲を規制するリテーナー前ストッパー（図示せず。）が形成されている。
【００１５】
中間レール２は、固定側レール１とほぼ同長で、基板２０と上下折曲縁２１、２１より固定側レール１と同方向の略チャンネル型に形成され、上下折曲縁２１、２１の外面に、摺動方向に渡って前記ボール４４・・・が転動する外面側ボール摺動溝を有し、上下折曲縁２１、２１の内面に、摺動方向に渡ってボール５４・・・が転動するボール摺動溝を有している。
そして、基板２０の後端部には、中間レール２の最大引出し時に、前記固定側レール１のリテーナー前ストッパー（図示せず。）に前端部が当接したボールリテーナー４の後端に当接して、中間レール２の最大引出し量を規制するリテーナー後ストッパー（図示せず。）が形成され、基板２０の前端部に、移動側メンバー３が最大伸長状態となった時、ボールリテーナー５の前端部が当接するボールリテーナー前端ストッパー（図示せず。）が形成されている。
【００１６】
移動側レール３は、固定側レール１とほぼ同長に形成され、ボールリテーナー５に保持されたボール５４・・・を介して摺動自在な大きさで、金属製の細条板の短手両端部を外向き円弧状に折り曲げて形成された、外面長手方向にボール５４・・の摺動面を有する上下折曲縁３１、３１と基板３０より断面略Ｃ字型に形成されている。
【００１７】
そして、基板３０の収納側端部には、移動側レール３の最大引出し時に、前記中間レール２のボールリテーナー前端ストッパー（図示せず。）に引出し側端部が当接したボールリテーナー５の収納側端部に当接して、移動側レール３の最大引出し量を規制するボールリテーナー後端ストッパー（図示せず。）が形成されている。
【００１８】
ボールリテーナー４は、帯状金属板にて固定側レール１の半分程度の長さとし、前記固定側レール１と中間レール２の基板１０、２０間に挿入可能な大きさのコ字形基板４０と、コ字形基板４０の両端部よりＬ字形に突出し、固定側レール１と中間レール２の各上下折曲縁１１、１１、２１、２１間に位置する上下突出縁４１、４１より断面略コ字形に形成され、上下突出縁４１、４１の摺動方向に複数個のボール４４・・・を回転自在に保持している。
ボールリテーナー５は、帯状金属板にて中間レール２の半分程度の長さとし、前記中間レール２と移動側レール３の基板２０、３０間に挿入可能な大きさのコ字形基板５０と、コ字形基板５０の両端部よりＬ字形に突出し、中間メンバー２と移動側レール３の各上下折曲縁２１、２１、３１、３１間に位置する上下突出縁５１、５１より断面略コ字形に形成され、上下突出縁５１、５１の摺動方向に複数個のボール５４・・・を回転自在に保持している。
【００１９】
スライドレール１００は、上記の如く構成され、固定側レール１に対する中間レール２の引出し側方向への摺動、中間レール２に対する移動側レール３の引出し側方向への摺動は次のようになる。
中間レール２が固定側レール１に対し引出し側に摺動すると、同時に、ボールリテーナー４も中間レール２の移動量の半分の移動量をもって引出し側に移動し、やがて、ボールリテーナー４の引出し側端部は固定側レール１のリテーナー前ストッパー（図示せず。）に当接して停止し、同時に、中間レール２のリテーナー後ストッパー（図示せず。）がリテーナー前ストッパー（図示せず。）に当接したボールリテーナー４の収納側端部に当接して停止する。
【００２０】
一方、中間レール２に対し移動側レール３が引出し側に摺動すると、ボールリテーナー５も移動側レール３の移動量の半分の移動量をもって引出し側に移動し、やがて、ボールリテーナー５の前端が中間レール２のボールリテーナー前端ストッパーに当接して停止し、この停止したボールリテーナー５の収納側端部に移動側レール３のボールリテーナー後端ストッパーが当接して、移動側レール３が停止する。
【００２１】
一方、固定側レール１に対する中間レール２の収納側方向への摺動、中間メンバー２に対する移動側レール３の収納側方向への摺動は次のようになる。中間レール２が固定側レール１に対し収納側に摺動すると、同時にボールリテーナー４も中間レール２の移動量の半分の移動量をもって収納側に移動し、やがて、中間レール２のリテーナー後ストッパー（図示せず。）が固定側レール１の収納時ストッパー（図示せず。）に当接して、中間レール２の摺動が停止する。
【００２２】
一方、中間レール２に対し移動側レール３が収納側に摺動すると、ボールリテーナー５も移動側レール３の移動量の半分の移動量をもって収納側に移動し、やがて、移動側レール３のボールリテーナー後端ストッパーが固定側レール１の収納時ストッパーに当接して、移動側レール３が停止する。そして、ラッチ部材６０によって移動側レール３はやや押し戻され、係止ピン９がラッチ部材６０にロックされ移動側レール３の収納状態が保持される。
【００２３】
ラッチ部材６０（図３〜図６に示す。）は、押しバネ７と自動係止部材８と、押しバネ７と自動係止部材８を保持し固定側レール１の収納側端部に取付けられる保持部材６より構成されている。
保持部材６は、固定側レール１の基板１０の内面に位置する取付け基板６１と、取付け基板６１の上下端部に連設された、上折曲縁１１の内面に嵌合する上嵌合柱６２、下嵌合柱６３と、取付け基板６１の収納側端部で固定側レール１の基板１０側に突出し、固定側レール１の係合孔１０１に係合する係合突起６４と、取付け基板６１の引出し側に形成され、自動係止部材８を上下動自在となす所定の大きさの挿通孔６５と、挿通孔６５の収納側と引出し側の上下端部より上下方向に突出する上支持突柱６５１、下支持突柱６５２と、固定側レール１の基板６１側で、挿通孔６５の引出し側と収納側に連設された自動係止部材８の引出し側案内支持凹部６１１と収納側案内支持凹部６１２と、上嵌合柱６２の下側に位置する押しバネ取付け部６６と、押しバネ取付け部６６の引出し側に連設された、移動側レール３の上下折曲縁３１が挿通する上向き円弧状の折曲縁挿通溝６７が、合成樹脂材の一体成形にて構成されている。
符号６６１は、押しバネ取付け部６６内に押しバネ７を取付けるための押しバネ取付け用開口を示している。
【００２４】
押しバネ７は、引出し側端部に合成樹脂材からなる嵌合キャップ７１が取付けられており、嵌合キャップ７１の引出し側端面は、押しバネ取付け部６６の引出し側端面に当接し所定の弾性を有した状態で、押しバネ取付け部６６内に保持されており、折曲縁挿通溝６７を通過した移動側レール３の上折曲縁３１の収納側端面が嵌合キャップ７１の引出し側端面に当接し、押しバネ７を収縮させながら、収納側に押しやり、移動側レール３がロックされた状態で、移動側レール３は押しバネによって、常に引出し側方向に付勢されている。
【００２５】
自動係止部材８は、所定の厚みに形成され挿通孔６５内に位置する支持用基板８１と、固定側レール１の基板１０の内面と引出し側案内支持凹部６１１と収納側案内支持凹部６１２間で上下動可能に支持され、支持用基板８１の引出し側と収納側に突出し、上下方向に所定の長さを有する引出し側端部翼片８２、収納側翼片８３と、支持基板８１の移動側レール３の基板３０側に突出する略横向きハート形の案内突部８４と、案内突部と、案内突部８４の収納側に所定間隔をもって位置するストッパー突部８５より一体に構成されている。
そして、支持基板８１の上面と下面には、前記挿通孔６５の上支持突柱６５１、下支持突柱６５２の位置に対応して、自動係止部材８に上下方向の付勢力を付与する押し上げバネ８６と、押し下げバネ８７が嵌合するバネ嵌合孔８６１、８７１が形成されている。
すなわち、自動係止部材８は、押し上げバネ８６と押し下げバネ８７の付勢力が吊り合った高さ位置から、収納側方向及び引出し側方向には移動不能で、上下動可能に挿通孔６５内で保持されている。
【００２６】
案内突部８４は、引出し側から収納側にかけて上向きに傾斜する押し下げ案内面８４１と、押し下げ案内面８４１の引出し側端部から押し下げ案内面８４１より緩やかな角度で収納側にかけて上向きに傾斜する押し上げ案内面８４２と、押し下げ案内面８４１と押し上げ案内面８４２の収納側端部間に形成された引出し側に窪む係止凹部８４３より略横向きハート形に形成されている。
【００２７】
ストッパー突部８５は、係止凹部８４３の収納側に所定間隔９０（スムーズに係止ピン９が通過可能な間隔、ほぼ係止ピンの直径の１．２５倍程度。以下、通過路と云う。）を有して上面に引出し側が下方に傾斜する案内ストッパー面８５１と下面に引出し側が上方に傾斜する押し出し案内傾斜面８５２を有して引出し側方向に突出する中央案内突部８５３と、中央案内突部８５３の上方と下方に連設された上部ストッパー部８５４と下部ストッパー部８５５より構成され、上部ストッパー部８５４は押し下げ案内面８４１の収納側端部の上方に位置し、下部ストッパー部８５５は押し上げ案内面８４２の収納側端部の下方に位置している。
【００２８】
そして、自動係止部材８は、押し上げバネ８６と押し下げバネ８７の付勢力が吊り合った状態（図８に示す状態。）で、押し下げ案内面８４１の引出し側の先端が係止ピン９の中心部の通過線上の下側に位置し、押し上げ案内面８４２の収納側の端部が係止ピン９の中心部の通過線上の上側に位置している。そして、係止ピン９が係止凹部８４３に係止されて、固定側レール１に対し移動側レール３がロックされた状態で、案内ストッパー面８５１と押し出し案内傾斜面８５２の引出し側の端部（中央案内突部８５３）は係止ピン９の上側に位置し、自動係止部材８の上下方向から付勢力が吊り合った状態で、下部ストッパー部８５５は係止ピン９の中心部の通過線上に位置しているものである。
【００２９】
ラッチ部材６０は、上記のように構成されているので、引き出された状態の移動側レール３が収納側方向に移動すると（図８に示す状態から係止ピン９が収納側に移動すると）、係止ピン９は、押し下げ案内面８４１に接触し、押しバネ７の弾性に抗して押しバネ７を収縮させながら収納側に移動する。
すなわち、押し上げバネ８６の弾性力（上方への付勢力）に抗して、自動係止部材８を押し下げながら収納方向に移動し、やがて、係止ピン９は、押し下げ案内面８４１の収納側端部に達する。（図９に示す状態。）
【００３０】
上記の状態から、移動側レール３をさらに収納側に移動すると、係止ピン９が通過路９０の上端に位置すると同時に、押し上げバネ８６の付勢力によって自動係止部材８が上昇し、案内ストッパー面８５１が係止ピン９に当接し、一旦、自動係止部材８の上昇が停止する。（図１０に示す状態。）
この状態で、移動側レール３に対する収納側方向への摺動力を解除すると、押しバネ７の弾性力によって、移動側レール３は引出し側方向に押し戻されるが、係止ピン９が案内ストッパー面８５１の引出し側端部から逸脱すると、押し上げバネ８６の付勢力によって自動係止部材８が再度上昇し、係止凹部８４３の底部が係止ピン９に当接し自動係止部材８の上昇が停止し、同時に、自動係止部材８が押し上げバネ８６によって上昇力を付勢され、かつ、移動側レール３（係止ピン９）が押しバネ７によって引出し側方向に付勢されているので、移動側レール３（係止ピン９）がラッチ部材６０の自動係止部材８にロック（係止）された状態が維持される。（図１１に示す状態。）
【００３１】
この状態から、移動側レール３を収納側に押しやると、係止ピン９が係止凹部８４３から収納側に逸脱し、同時に押し上げバネ８６の付勢力によって自動係止部材８が上昇し、押し上げ案内面８４２の収納側の端部が係止ピン９の中心部の通過線上の上側に位置する。（図１２に示す状態。）
この状態で、移動側レール３の収納側への摺動力を解除すると、移動側レール３は、押しバネ７の付勢力によって引出し側に移動し、同時に係止ピン９は押し下げバネ８７の付勢力に抗して押し上げ案内面８４２に沿って自動係止部材８を押し上げながら、押し上げ案内面８４２の引出し側の端部に達する（図１３に示す状態）。この後も移動側レール３は押しバネ７の付勢力によってさらに引出し側に移動する。（図８に示す状態）
【図面の簡単な説明】
【００３２】
【図１】本発明を具備したスライドレールの斜視図
【図２】図１のＡ−Ａ線要部断面図
【図３】ラッチ部材を固定側レールから取外した状態の斜視図
【図４】ラッチ部材の分解斜視図
【図５】自動係止部材の斜視図
【図６】図８のＢ−Ｂ線要部拡大断面図
【図７】図９のＣ−Ｃ線要部拡大断面図
【図８】係止ピンが自動係止部材の引出し側に位置した状態の説明図
【図９】係止ピンが自動係止部材を最も押し下げた状態の説明図
【図１０】係止ピンが案内ストッパー面に当接した状態の説明図
【図１１】係止ピンがラッチ部材に係止した状態の説明図
【図１２】係止ピンが係止状態から逸脱した状態を示す説明図
【図１３】係止ピンが自動係止部材を最も押し上げた状態の説明図
【符号の説明】
【００３３】
１              固定側レール
１１、１１      上下折曲縁
１００          スライドレール
２              中間レール
３              移動側レール
６              保持部材
６０            ラッチ部材
７              押しバネ
８              自動係止部材
８４            案内突部
８４１          押し下げ案内面
８４２          押し上げ案内面
８４３          係止凹部
８５            ストッパー突部
８５１          案内ストッパー面
８５２          押し出し案内傾斜面
８５３          中央案内突部
８５４          上部ストッパー部
８５５          下部ストッパー部
９              係止ピン
【図１】
0004809139.tif 000002
【図２】
0004809139.tif 000003
【図３】
0004809139.tif 000004
【図４】
0004809139.tif 000005
【図５】
0004809139.tif 000006
【図６】
0004809139.tif 000007
【図７】
0004809139.tif 000008
【図８】
0004809139.tif 000009
【図９】
0004809139.tif 000010
【図１０】
0004809139.tif 000011
【図１１】
0004809139.tif 000012
【図１２】
0004809139.tif 000013
【図１３】
0004809139.tif 000014